(57)【要約】【課題】  狭い場所においても周囲の壁等に手が当接しないように把手を確実に把持して本体を往復動させることができるようにし、処理面による表面処理を容易に行うことができるようにして作業性の向上を図る。【解決手段】  対象物の表面に接触して表面を処理する処理面としてのヤスリ１０の研磨面１１が設けられた本体２０と、本体２０に設けられこの本体２０を研磨面１１上の基準線Ｘに沿って往復動させて研磨面１１による研磨処理を行わせるための把手３０とを備え、把手３０を、研磨面１１に直交する方向Ｙの上側から見て基準線Ｘから所定間隔離間した位置に設けた。【選択図】図５
2019039164.tif 000002
【特許請求の範囲】
【請求項１】
対象物の表面に接触して該表面を処理する処理面が設けられた本体と、該本体に設けられ該本体を上記処理面上の基準線に沿って往復動させて該処理面による表面処理を行わせるための把手とを備えた建築用表面処理具において、
上記把手を、上記処理面に直交する方向の上側から見て上記基準線から所定間隔離間した位置に設けたことを特徴とする建築用表面処理具。
【請求項２】
上記把手を、上記処理面に直交する方向の上側から見て、上記基準線に平行な軸線を有し把持可能な棒状部を有して形成したことを特徴とする請求項１記載の建築用表面処理具。
【請求項３】
上記把手を、上記処理面に直交する方向の上側から見て、上記基準線に平行な軸線が上記処理面の外側に位置するように設けたことを特徴とする請求項２記載の建築用表面処理具。
【請求項４】
上記処理面は、ヤスリの研磨面，パテを塗布する塗布面のいずれかである構成にしたことを特徴とする請求項１乃至３何れかに記載の建築用表面処理具。
【請求項５】
上記本体を、上記処理面としての研磨面を有したヤスリが取付手段を介して着脱可能に取付けられる取付部と、上記把手が設けられる把手支持部と、上記研磨面に直交する方向に沿って上記取付部よりも上記把手支持部が高い位置に位置するように該取付部及び把手支持部を接続する接続部とを備えて構成したことを特徴とする請求項１乃至３何れかに記載の建築用表面処理具。
【請求項６】
上記取付手段を、面ファスナーで構成し、
上記ヤスリを、表面に研磨面を有し裏面に面ファスナーの一方係合部が設けられた長方形状の帯状に形成し、
上記取付部を、上記ヤスリの形状に対応し長手方向に基準線を有した長方形状に形成されるとともに該ヤスリの裏面が取付けられる取付面を有して形成し、該取付面に面ファスナーの他方係合部を設けたことを特徴とする請求項５記載の建築用表面処理具。
【請求項７】
上記接続部を高さ調整可能にする高さ調整手段を備えたことを特徴とする請求項５または６記載の建築用表面処理具。
【請求項８】
上記接続部を、上記取付部側の一方部と、該一方部とは分離可能な上記把手支持部側の他方部とを備えて構成し、
上記高さ調整手段を、面ファスナーで構成し、上記一方部に、面ファスナーの一方係合部を設け、上記他方部に、面ファスナーの他方係合部を設けたことを特徴とする請求項７記載の建築用表面処理具。
【発明の詳細な説明】
【技術分野】
【０００１】
本発明は、例えば建物の壁の下地にパテを塗布したりこれを研磨したりする等、建築物の表面を処理する建築用表面処理具に関する。
【背景技術】
【０００２】
一般に、図１３に示すように、例えば住宅等の建物の壁１においては、胴縁等の基材（図示せず）にボード２を付設して下地とし、この下地表面３に壁紙（図示せず）を貼付することを行う。この場合、ボード２とボード２との繋目４には、目地剤である所謂パテを建築用表面処理具としてのコテを用いて塗布し、その後、パテを乾燥させる。それから、パテの盛り上がって突出した部分を建築用表面処理具としてのヤスリ具で削り取って平面状にする。そして、この平面状に処理した下地表面３に、壁紙を貼付する。
【０００３】
この建物の壁においては、図１３に示すように、枠体５で区画された出入口６を、直交する一方の壁１Ａに近接した位置であって他方の壁１Ｂに設ける場合があり、この場合、枠体５と一方の壁１Ａとの間隔が狭くなっている部位が生じるが、この狭い部位７においても、ボード２を細長い長方形状に切断したものを接続して例えばビスや釘などの止着具で基材に止めて下地とし、上述のように、ボード２とボード２との繋目４には、目地剤である所謂パテを建築用表面処理具としてのコテを用いて塗布し、その後、パテを乾燥させる。それから、パテの盛り上がって突出した部分を建築用表面処理具としてのヤスリ具で削り取って平面状にする。そして、この平面状に処理した下地表面３に、壁紙を貼付する。
【０００４】
建築用表面処理具としては、従来、例えば、図１４及び図１５に示すように、ヤスリ具からなる建築用表面処理具Ｓａの場合で説明すると、対象物であるボード２の表面３に接触してこの表面３を処理する処理面としての研磨面１０１を備えたヤスリ１００と、このヤスリ１００を面ファスナーや粘着テープ等の取付手段１０２を介して取付けた本体１０３と、本体１０３に設けられ本体１０３を研磨面１０１上の基準線Ｐに沿って往復動させて研磨面１０１による研磨を行わせるための把手１０４とを備えて構成されている。把手１０４は、研磨面１０１に直交する方向Ｑの上側から見て（図１５）、基準線Ｐと同軸の軸線Ｒを有し把持可能な棒状部１０５を有して形成されている（例えば、実開昭６３−６０５６３号公報，実開平６−７５６２３号公報などに掲載）。
【０００５】
また、図示しないが、建築用表面処理具としてのコテも、例えば、対象物であるボード２の表面３に接触してパテを塗布する平面状の処理面を備えた本体と、本体に設けられ本体を処理面の基準線に沿って往復動させて処理面によるパテの塗布を行わせるための把手とを備えて構成されている。把手は、処理面に直交する方向の上側から見て、基準線と同軸の軸線を有し把持可能な棒状部を有して形成されている。
【先行技術文献】
【特許文献】
【０００６】
【特許文献１】実開昭６３−６０５６３号公報
【特許文献２】実開平６−７５６２３号公報
【発明の概要】
【発明が解決しようとする課題】
【０００７】
ところで、上記従来の建築用表面処理具Ｓａにおいては、例えば、上記のヤスリ具からなる建築用表面処理具Ｓａの場合で説明すると、図１５に示すように、枠体６と一方の壁１Ａとの間隔が狭くなっている部位７の下地表面３の処理を行う場合、把手１０４は、研磨面１０１に直交する方向Ｑの上側から見て、基準線Ｐと同軸の軸線Ｒを有し把持可能な棒状部１０５を有して形成されているので、把手１０４を手で把持して、ヤスリ１００を狭い部位７に位置させて中心軸Ｐ方向に往復動させようとすると、一方の壁１Ａに手が当たってしまい、実質的に把持できなかったり、把持できても把持が不十分になって、狭い部位７の研磨作業が極めてやりにくく、作業性が悪いという問題があった。このことは、建築用表面処理具としてのコテにおいても、パテを塗布するときには同様の問題を抱えることになる。
【０００８】
本発明は上記の点に鑑みて為されたもので、狭い場所においても周囲の壁等に手が当接しないように把手を確実に把持して本体を往復動させることができるようにし、処理面による表面処理を容易に行うことができるようにして作業性の向上を図った建築用表面処理具を提供することを目的とする。
【課題を解決するための手段】
【０００９】
上記の目的を達成するための本発明の建築用表面処理具は、対象物の表面に接触して該表面を処理する処理面が設けられた本体と、該本体に設けられ該本体を上記処理面上の基準線に沿って往復動させて該処理面による表面処理を行わせるための把手とを備えた建築用表面処理具において、上記把手を、上記処理面に直交する方向の上側から見て上記基準線から所定間隔離間した位置に設けた構成としている。
【００１０】
これにより、対象物の表面を処理する際には、把手を把持して対象物の表面に処理面を接触させ、本体を処理面の基準線に沿って往復動させる。この場合、例えば、直交する一方の壁に近接した他方の壁の狭い場所においても、把手を処理面に直交する方向の上側から見て基準線から所定間隔離間した位置に設けたので、処理面は一方の壁に近接させた位置に位置させ、把手は一方の壁から離間させた位置関係にすることができることから、一方の壁に手が当接しないように把手を確実に把持して本体を往復動させることができるようになる。そのため、処理面による表面処理を容易に行うことができるようになり、作業性を大幅に向上させることができる。
【００１１】
この場合、上記把手を、上記処理面に直交する方向の上側から見て、上記基準線に平行な軸線を有し把持可能な棒状部を有して形成したことが有効である。把手を把持した手の人差し指から小指に亘る手の幅方向が基準線に略平行になるので、処理面を押圧し易くなり、それだけ、本体の往復動を容易に行うことができ、より一層、作業性を向上させることができる。
【００１２】
また、この場合、上記把手を、上記処理面に直交する方向の上側から見て、上記基準線に平行な軸線が上記処理面の外側に位置するように設けたことが有効である。把手を一方の壁から確実に離間させた位置関係にすることができるので、より一層本体を往復動させやすくなる。そのため、処理面による表面処理をより一層容易に行うことができるようになる。
【００１３】
本発明においては、上記処理面は、ヤスリの研磨面，パテを塗布する塗布面のいずれかである構成にすることができる。
【００１４】
そして、必要に応じ、上記本体を、上記処理面としての研磨面を有したヤスリが取付手段を介して着脱可能に取付けられる取付部と、上記把手が設けられる把手支持部と、上記研磨面に直交する方向に沿って上記取付部よりも上記把手支持部が高い位置に位置するように該取付部及び把手支持部を接続する接続部とを備えて構成している。把手支持部が取付部より高い位置にあるので、取付部に取付けたヤスリのみを表面に接触させて移動させることができるとともに、研磨する研磨面が凹んだ位置にあっても、これに対応することができる。
【００１５】
また、必要に応じ、上記取付手段を、面ファスナーで構成し、上記ヤスリを、表面に研磨面を有し裏面に面ファスナーの一方係合部が設けられた長方形状の帯状に形成し、上記取付部を、上記ヤスリの形状に対応し長手方向に基準線を有した長方形状に形成されるとともに該ヤスリの裏面が取付けられる取付面を有して形成し、該取付面に面ファスナーの他方係合部を設けた構成としている。面ファスナーによりヤスリを着脱できるようになるので、ヤスリが摩耗したとき、交換を容易に行うことができる。
【００１６】
更に、必要に応じ、上記接続部を高さ調整可能にする高さ調整手段を備えた構成としている。例えば、一方の壁に隣接して出入口の枠体があって、研磨する他方の壁の研磨面が凹んでいるとき、接続部の高さ調整を行って凹みの深さに対応することができ、それだけ、操作性を向上させることができる。
【００１７】
この場合、上記接続部を、上記取付部側の一方部と、該一方部とは分離可能な上記把手支持部側の他方部とを備えて構成し、上記高さ調整手段を、面ファスナーで構成し、上記一方部に、面ファスナーの一方係合部を設け、上記他方部に、面ファスナーの他方係合部を設けたことが有効である。高さ調整を、面ファスナーの取付位置を変えることで実現できるので、構造を容易にすることができる。
【発明の効果】
【００１８】
本発明によれば、対象物の表面を処理する際には、把手を把持して対象物の表面に処理面を接触させ、本体を処理面の基準線に沿って往復動させる。この場合、例えば、直交する一方の壁に近接した他方の壁の狭い場所においても、把手を処理面に直交する方向の上側から見て基準線から所定間隔離間した位置に設けたので、処理面は一方の壁に近接させた位置に位置させ、把手は一方の壁から離間させた位置関係にすることができるので、一方の壁に手が当接しないように把手を確実に把持して本体を往復動させることができるようになる。そのため、処理面による表面処理を容易に行うことができるようになり、作業性を大幅に向上させることができる。
【図面の簡単な説明】
【００１９】
【図１】本発明の第１の実施の形態に係る建築用表面処理具を示す分解斜視図である。
【図２】本発明の第１の実施の形態に係る建築用表面処理具を示す斜視図である。
【図３】本発明の第１の実施の形態に係る建築用表面処理具を示す正面図である。
【図４】本発明の第１の実施の形態に係る建築用表面処理具を示す平面図である。
【図５】本発明の第１の実施の形態に係る建築用表面処理具を示す側面図である。
【図６】本発明の第１の実施の形態に係る建築用表面処理具の使用状態を示す平面図である。
【図７】本発明の第２の実施の形態に係る建築用表面処理具を示す分解斜視図である。
【図８】本発明の第２の実施の形態に係る建築用表面処理具を示す斜視図である。
【図９】本発明の第２の実施の形態に係る建築用表面処理具を示す正面図である。
【図１０】本発明の第２の実施の形態に係る建築用表面処理具を示す平面図である。
【図１１】本発明の第２の実施の形態に係る建築用表面処理具を示す側面図である。
【図１２】本発明の第３の実施の形態に係る建築用表面処理具を示す斜視図である。
【図１３】本発明の実施の形態に係る建築用表面処理具が適用される建物の一例を示す図である。
【図１４】従来の建築用表面処理具の一例を示す斜視図である。
【図１５】従来の建築用表面処理具において使用時の不具合を示す平面図である。
【発明を実施するための形態】
【００２０】
以下、添付図面に基づいて本発明の実施の形態に係る建築用表面処理具について詳細に説明する。
図１乃至図５には、第１の実施の形態に係る建築用表面処理具Ｓを示す。これは、ヤスリ具としての建築用表面処理具Ｓであり、対象物の表面に接触してこの表面を処理する処理面としての研磨面１１を有したヤスリ１０が取付手段１２を介して着脱可能に取付けられる本体２０と、本体２０に設けられこの本体２０をヤスリ１０の研磨面１１上の基準線Ｘに沿って往復動させて、本体２０に取付けたヤスリ１０による研磨を行わせるための把手３０とを備えて構成されている。取付手段１２は、一方係合部１３及び他方係合部１４を有した面ファスナー１５で構成されている。
【００２１】
ヤスリ１０は、表面に研磨面１１を有し裏面に面ファスナー１５の一方係合部１３が設けられた長方形状の可撓性帯状に形成されている。ヤスリ１０は、例えば、長さＬが、５０ｍｍ≦Ｌ≦３００ｍｍ、幅Ｄが、１０ｍｍ≦Ｄ≦１００ｍｍに設定されている。実施の形態では、Ｌ＝２００ｍｍ、Ｄ＝２０ｍｍに設定されている。寸法はこれに限定されない。
【００２２】
本体２０は、例えばアルミニウム等の板状の軽量金属で形成され、横断面クランク状に一体に折曲形成され、一片２１，これに直交して連設される立設辺２２，一片２１と平行に立設辺２２に連設される他片２３で構成されている。
一片２１は、ヤスリ１０が面ファスナー１５を介して着脱可能に取付けられる取付部２４として構成されている。取付部２４は、ヤスリ１０の形状に対応し長手方向に中心線Ｐを有した長方形状に形成されるとともに、ヤスリ１０の裏面が取付けられる取付面２５を有して形成され、この取付面２５に面ファスナー１５の他方係合部１４が設けられている。ヤスリ１０の研磨面１１上の基準線Ｘは、ヤスリ１０の研磨面１１に直交する方向Ｙの上側から見て（図４）、取付部２４の中心線Ｐと同軸になる。即ち、ヤスリ１０は取付部２４に対して多少ずれて取付けられても、基準線Ｘは取付部２４の中心線Ｐとなる。
【００２３】
他片２３は、一片２１と略同じ大きさに形成され把手３０が設けられる把手支持部２６として構成されている。把手支持部２６の両端は、アール形状に面取り形成されている。
立設辺２２は、研磨面１１に直交する方向Ｙに沿って取付部２４よりも把手支持部２６が高い位置に位置するように、取付部２４及び把手支持部２６を接続する接続部２７として構成されている。接続部２７の高さＨは、例えば、Ｈ＝２０ｍｍに設定されている。寸法はこれに限定されない。
【００２４】
把手３０は、取付部２４に取付けられたヤスリ１０の研磨面１１に直交する方向Ｙの上側から見て（図４）、基準線Ｘ（中心線Ｐ）に平行な軸線Ｑを有した把持可能な棒状部３１と、棒状部３１の両端に設けられビスなどの止着手段（図示せず）により把手支持部２６に取付けられる一対の脚部３２とを備えて構成されている。即ち、把手３０は、ヤスリ１０の研磨面１１に直交する方向Ｙの上側から見て（図４）、基準線Ｘから所定間隔（Ｅ）離間した位置に設けられているとともに、軸線Ｑが取付部２４に取付けられたヤスリ１０の研磨面１１の外側に位置するように設けられている。
【００２５】
次に、この実施の形態に係る建築用表面処理具Ｓを用いる場合について説明する。図１３に示すように、例えば住宅等の建物の壁１において、上述もしたように、枠体５で区画された出入口６を、直交する壁１の一方の壁１Ａに近接した位置であって他方の壁１Ｂに設ける場合、枠体５と一方の壁１Ａとの間隔が狭くなっている部位が生じるが、この狭い部位７において、ボード２を長方形状に切断したものを接続して例えばビスや釘などの止着具で基材に止めて下地とし、ボード２とボード２との繋目４には、目地剤である所謂パテをコテを用いて塗布し、その後、パテを乾燥させる。それから、パテの盛り上がって突出した部分を本実施の形態に係る建築用表面処理具Ｓで削り取って平面状にする。
【００２６】
この場合、図６に示すように、把手３０を把持して対象物の表面である下地表面３にヤスリ１０の研磨面１１を接触させ、本体２０を研磨面１１の基準線Ｘに沿って往復動させる。この場合、直交する一方の壁１Ａに近接した他方の壁１Ｂの狭い部位７においても、把手３０を研磨面１１に直交する方向Ｙの上側から見て基準線Ｘから所定間隔離間した位置に設けたので、研磨面１１は一方の壁１Ａに近接させた位置に位置させ、把手３０は一方の壁１Ａから離間させた位置関係にすることができることから、一方の壁１Ａに手が当接しないように把手３０を確実に把持して本体２０を往復動させることができるようになる。そのため、研磨面１１による研磨を容易に行うことができるようになり、作業性を大幅に向上させることができる。
【００２７】
また、把手３０を、研磨面１１に直交する方向Ｙの上側から見て、基準線Ｘに平行な軸線Ｑを有し把持可能な棒状部３１を有して形成したので、把手３０を把持した手の人差し指から小指に亘る手の幅方向が基準線Ｘに略平行になるので、研磨面１１を押圧し易くなり、それだけ、本体２０の往復動を容易に行うことができ、より一層、作業性を向上させることができる。更に、把手３０を、研磨面１１に直交する方向Ｙの上側から見て、軸線Ｑが取付部２４に取付けられたヤスリ１０の研磨面１１の外側に位置するように設けたので、把手３０を一方の壁１Ａから確実に離間させた位置関係にすることができることから、より一層本体２０を往復動させやすくなる。そのため、研磨面１１による表面研磨をより一層容易に行うことができるようになる。更にまた、把手支持部２６が取付部２４より高い位置にあるので、取付部２４に取付けたヤスリ１０のみを表面に接触させて移動させることができるとともに、研磨する研磨面１１が凹んだ位置にあっても、これに対応することができる。
【００２８】
そして、ヤスリ１０が摩耗したときは、新しいヤスリ１０と交換する。この場合、面ファスナー１５によりヤスリ１０を着脱できるようになるので、ヤスリ１０が摩耗したとき、交換を容易に行うことができる。
【００２９】
図７乃至図１１には、第２の実施の形態に係る建築用表面処理具Ｓを示す。これは、ヤスリ１０具としての建築用表面処理具Ｓであり、対象物の表面に接触してこの表面を処理する処理面としての研磨面１１を有したヤスリ１０が取付手段１２を介して着脱可能に取付けられる本体２０と、本体２０に設けられこの本体２０に取付けられたヤスリ１０の研磨面１１上の基準線Ｘに沿って往復動させて、取付部２４に取付けたヤスリ１０による研磨を行わせるための把手３０とを備えて構成されている。取付手段１２は、一方係合部１３及び他方係合部１４を有した面ファスナー１５で構成されている。
【００３０】
ヤスリ１０は、表面に研磨面１１を有し裏面に面ファスナー１５の一方係合部１３が設けられた長方形状の可撓性帯状に形成されている。ヤスリ１０は、例えば、長さＬが、５０ｍｍ≦Ｌ≦３００ｍｍ、幅Ｄが、１０ｍｍ≦Ｄ≦１００ｍｍに設定されている。実施の形態では、Ｌ＝１５０ｍｍ、Ｄ＝３０ｍｍに設定されている。寸法はこれに限定されない。
【００３１】
本体２０は、例えばアルミニウム等の板状の軽量金属で形成され、横断面Ｌ字状に形成された、略同じ大きさの一方部材４０及び他方部材４３を備えている。一方部材４０は、互いに直交する一片４１及び他片４２を有し、他方部材４３は、互いに直交する一片４４及び他片４５を有している。
【００３２】
一方部材４０の一片４１は、ヤスリ１０が面ファスナー１５を介して着脱可能に取付けられる取付部２４として構成されている。取付部２４は、ヤスリ１０の形状に対応し長手方向に中心線Ｐを有した長方形状に形成されるとともに、ヤスリ１０の裏面が取付けられる取付面２５を有して形成され、この取付面２５に面ファスナー１５の他方係合部１４が設けられている。ヤスリ１０の研磨面１１上の基準線Ｘは、ヤスリ１０の研磨面１１に直交する方向Ｙの上側から見て（図１０）、取付部２４の中心線Ｐと同軸になる。即ち、ヤスリ１０は取付部２４に対して多少ずれて取付けられても、取付部２４の中心線Ｐとなる。
【００３３】
他方部材４３の一片４４は、把手３０が設けられる把手支持部２６として構成されている。一方部材４０の他片４２及び他方部材４３の他片４５は、互いに面結合されて研磨面１１に直交する方向Ｙに沿って取付部２４よりも把手支持部２６が高い位置に位置するように、取付部２４及び把手支持部２６を接続する接続部２７として構成されている。そして、この接続部２７を高さ調整可能にする高さ調整手段５０が備えられている。
【００３４】
詳しくは、接続部２７は、一方部材４０の他片４２からなり取付部２４側の一方部５１と、他方部材４３の他片４５からなり一方部５１とは分離可能な把手支持部２６側の他方部５２とを備えて構成されている。そして、高さ調整手段５０は、一方係合部５３及び他方係合部５４を有した面ファスナー５５で構成されている。一方部５１に、面ファスナー５５の一方係合部５３が設けられ、他方部５２に、面ファスナー５５の他方係合部５４が設けられている。
【００３５】
把手３０は、取付部２４に取付けられたヤスリ１０の研磨面１１に直交する方向Ｙの上側から見て（図１０）、基準線Ｘ（中心線Ｐ）に平行な軸線Ｑを有した把持可能な棒状部３１と、棒状部３１の両端に設けられビスなどの止着手段（図示せず）により把手支持部２６に取付けられる一対の脚部３２とを備えて構成されている。即ち、把手３０は、ヤスリ１０の研磨面１１に直交する方向Ｙの上側から見て（図１０）、基準線Ｘから所定間隔（Ｅ）離間した位置に設けられているとともに、取付部２４に取付けられたヤスリ１０の研磨面１１の外側に位置させられている。
【００３６】
従って、この第２の実施の形態に係る建築用表面処理具Ｓによれば、図８に示すように、接続部２７を高さ調整可能にする高さ調整手段５０を備えた構成としたので、例えば、一方の壁１Ａに隣接して出入口６の枠体５があって、研磨する他方の壁１Ｂの研磨面１１が凹んでいるとき、接続部２７の高さ調整を行って凹みの深さに対応することができ、それだけ、操作性を向上させることができる。この場合、高さ調整を、面ファスナー５５の取付位置を変えることで実現できるので、構造を容易にすることができる。他は上記と同様の作用，効果を奏する。
【００３７】
図１２には、第３の実施の形態に係る建築用表面処理具Ｓを示す。これは、上記と異なって、パテを塗布するコテ具としての建築用表面処理具Ｓであり、対象物の表面に接触してこの表面を処理する処理面としてのパテを塗布する塗布面６０を有した本体２０と、本体２０に設けられ本体２０を塗布面上の基準線Ｘに沿って往復動させて塗布面６０によるパテの塗布を行わせるための把手３０とを備えて構成されている。
【００３８】
本体２０は、例えばステンレスの板状の金属で形成され塗布面６０を構成する塗布部６１を備えている。塗布部６１は、長手方向に中心線Ｐ（基準線Ｘ）を有した長方形状に形成されている。また、本体２０は、把手支持部２６と、塗布面６０に直交する方向Ｙに沿って塗布部６１よりも把手支持部２６が高い位置に位置するように、塗布部６１及び把手支持部２６を接続する接続部２７とを備えている。把手支持部２６及び接続部２７は例えばステンレスの板体を略Ｌ字状に折曲形成して構成され、一片が把手支持部２６として構成され、他片が接続部２７として構成されその端部が塗布部６１の側部に溶接固定されている。
【００３９】
把手３０は、塗布面６０に直交する方向Ｙの上側から見て、基準線Ｘ（中心線Ｐ）に平行な軸線Ｑを有した把持可能な棒状部３１で形成されており、その中央がビスなどの止着手段（図示せず）により把手支持部２６に固定されている。また、把手３０は、塗布面６０に直交する方向Ｙの上側から見て、基準線Ｘから所定間隔離間した位置に設けられているとともに、軸線Ｑが塗布面６０の外側に位置するように設けられている。
【００４０】
次に、この第３の実施の形態に係る建築用表面処理具Ｓを用いる場合について説明する。図１３に示すように、例えば住宅等の建物の壁１において、上述もしたように、枠体５で区画された出入口６を、直交する壁１の一方の壁１Ａに近接した位置であって他方の壁１Ｂに設ける場合、枠体５と一方の壁１Ａとの間隔が狭くなっている部位が生じるが、この狭い部位７において、ボード２を長方形状に切断したものを接続して例えばビスや釘などの止着具で基材に止めて下地とし、ボード２とボード２との繋目４には、目地剤である所謂パテを塗布するが、この第３の実施の形態に係る建築用表面処理具Ｓは、このパテを塗布する際に用いる。
【００４１】
この際、把手３０を把持して対象物の表面である下地表面３に塗布面６０を接触させ、本体２０を処理面の基準線Ｘに沿って往復動させてパテを塗布する。この場合、直交する一方の壁１Ａに近接した他方の壁１Ｂの狭い場所においても、把手３０を塗布面６０に直交する方向Ｙの上側から見て基準線Ｘから所定間隔離間した位置に設けたので、塗布面６０は一方の壁１Ａに近接させた位置に位置させ、把手３０は一方の壁１Ａから離間させた位置関係にすることができることから、一方の壁１Ａに手が当接しないように把手３０を確実に把持して本体２０を往復動させることができるようになる。そのため、塗布面６０による塗布を容易に行うことができるようになり、作業性を大幅に向上させることができる。
【００４２】
また、把手３０を、塗布面６０に直交する方向Ｙの上側から見て、基準線Ｘに平行な軸線Ｑを有し把持可能な棒状部３１で形成したので、把手３０を把持した手の人差し指から小指に亘る手の幅方向が基準線Ｘに略平行になるので、塗布面６０を押圧し易くなり、それだけ、本体２０の往復動を容易に行うことができ、より一層、作業性を向上させることができる。更に、把手３０を、塗布面６０に直交する方向Ｙの上側から見て、軸線Ｑが塗布面６０の外側に位置するように設けたので、把手３０を一方の壁１Ａから確実に離間させた位置関係にすることができることから、より一層本体２０を往復動させやすくなる。そのため、塗布面６０による塗布処理をより一層容易に行うことができるようになる。更にまた、把手支持部２６が塗布部６１より高い位置にあるので、塗布部６１のみを表面３に接触させて移動させることができるとともに、塗布する面が凹んだ位置にあっても、これに対応することができる。
【００４３】
尚、上記実施の形態において、各部の形状は上述したものに限定されるものではなく、例えば、第１の実施の形態に係る本体２０及び把手３０を第３の実施の形態の本体２０及び把手３０の形状にする等、適宜変更して差支えない。また、上記第１及び第２の実施の形態において、ヤスリ１０の取付手段１２を面ファスナー１５で構成したが、必ずしもこれに限定されるものではなく、例えば粘着テープで構成するなど適宜変更して差支えない。また。ヤスリ１０を本体２０に対して着脱可能に形成したが、必ずしもこれに限定されるものではなく、本体２０に一体に設けて良い。即ち、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４４】
Ｓ  建築用表面処理具
１  壁
２  ボード
３  下地表面
４  繋目
５  枠体
６  出入口
７  狭い部位
１０  ヤスリ
１１  研磨面
１２  取付手段
Ｘ  基準線
Ｙ  研磨面に直交する方向
１３  一方係合部
１４  他方係合部
１５  面ファスナー
２０  本体
２１  一片
２２  立設辺
２３  他片
２４  取付部
２５  取付面
Ｐ  中心線
２６  把手支持部
２７  接続部
３０  把手
Ｑ  軸線
３１  棒状部
３２  脚部
Ｅ  所定間隔
４０  一方部材
４１  一片
４２  他片
４３  他方部材
４４  一片
４５  他片
５０  高さ調整手段
５１  一方部
５２  他方部
５３  一方係合部
５４  他方係合部
５５  面ファスナー
６０  塗布面
６１  塗布部
【図１】
2019039164.tif 000003
【図２】
2019039164.tif 000004
【図３】
2019039164.tif 000005
【図４】
2019039164.tif 000006
【図５】
2019039164.tif 000007
【図６】
2019039164.tif 000008
【図７】
2019039164.tif 000009
【図８】
2019039164.tif 000010
【図９】
2019039164.tif 000011
【図１０】
2019039164.tif 000012
【図１１】
2019039164.tif 000013
【図１２】
2019039164.tif 000014
【図１３】
2019039164.tif 000015
【図１４】
2019039164.tif 000016
【図１５】
2019039164.tif 000017